(57)【要約】【課題】ロックが強固で、ワンタッチで再封できる紙製容器を提供すること。【解決手段】上面が開口した容器本体（２）と、開口の一辺に折り曲げ線(ａ)を介して連設された蓋体（３）から構成され、容器本体と蓋体とがロック機構により保持される再封性を有する紙製容器（１）であって、蓋体（３）を折り曲げて容器本体（２）の開口を閉塞した時、ロック機構（４）が、容器本体の両側面に形成される突起部（１８、１９）と、突起部に対応する蓋体の前蓋側面板（１７１、１７２）の間に設けられる隙間（ｃ）とで形成されている。【選択図】図１
2008207866.tif 000002
【特許請求の範囲】
【請求項１】
上面が開口した容器本体と、前記開口の一辺に折り曲げ線を介して連設された蓋体から構成され、容器本体と蓋体との再封がロック機構により保持される再封性を有する紙製容器であって、
前記蓋体を折り曲げて容器本体の開口を閉塞した時、前記ロック機構が、容器本体の両側面に形成される突起部と、該突起部に対応する蓋体の蓋側面板の間に設けられている隙間とで形成されていることを特徴とする再封性を有する紙製容器。
【請求項２】
糊代片、側面板、前面板、側面板、後面板が順次折り曲げ線を介して連設され、
前面板の下端には折り曲げ線を介して内底面板が連設され、各側面板の下端には折り曲げ線を介して底舌片がそれぞれ連設され、
後面板の上端にはそれぞれ折り曲げ線を介して上蓋板、前蓋板が順次連設され、
後面板の下端には折り曲げ線を介して底面板が連設され、
上蓋板の左右端にはそれぞれ折り曲げ線を介して蓋舌片が連設され、前蓋板の左右端にはそれぞれ折り曲げ線を介して前蓋側面板が連設され、
前面板の上方の左右端には、側面板を分ける折り曲げ線より側面板寄りに突出して突起部が形成され、た構造からなるブランクを、
糊代片、側面板、前面板、側面板、後面板を順次折り曲げ、糊代片の表面と後面板の裏面を貼着してスリーブ状に形成し、内底面板、底舌片、底面板を折り曲げ貼着して底部を形成して容器本体とし、
上蓋板、前蓋板を折り曲げ、蓋舌片の表面と前蓋側面板の裏面を貼着して蓋体とし、
該蓋体を折り曲げて容器本体の開口を閉塞し、蓋体の前蓋板裏面とそれに重なる容器本体の前面板表面を貼着して紙製容器を密閉した時、左右の突起部が対応する左右の蓋舌片の端部に係ってロック状態になることを特徴とする再封性を有する紙製容器。
【請求項３】
前記前面板の上方には、上端縁より内方に切断線により前蓋板より小さい貼着開放部が区画形成されていることを特徴とする、請求項２記載の再封性を有する紙製容器。
【請求項４】
前記突出部の突出高さが紙製容器を構成する紙厚程度であることを特徴とする、請求項２又は３記載の再封性を有する紙製容器。
【発明の詳細な説明】
【技術分野】
【０００１】
本発明は、チョコレート、菓子などを収容する紙製容器に関し、特には、一枚のブランクから組み立てられ、ワンタッチで再封可能な紙製容器に関する。
【背景技術】
【０００２】
従来、チョコレート、菓子などを収容する紙製容器として、例えば、図４、図５に示すような、矩形の上方開口をもつ箱本体（２０１）と、この開口の一辺に折線を介して連設された蓋（２０６）と、前記一辺に対向する他の一辺から外側へ折り曲げられた短尺の舌片（２０８）とで構成され、前記蓋（２０６）はこれを上方開口に被せた閉蓋時に、前記一辺を除く他の三辺を形成する側壁の上部外面を抱持するスカート部を有し、このスカート部のうち前記舌片に対向係合する内面には、蓋閉蓋時に舌片の先端と掛合する段部（２０９）が設けられている紙製小容器が知られている（特許文献１参照）。
【０００３】
上記先行技術文献を示す。
【特許文献１】実開昭６０−１６７７２８号公報。
【発明の開示】
【発明が解決しようとする課題】
【０００４】
しかし、この紙製小容器においては再封する際に、ロックが充分にされないという問題がある。
【０００５】
本発明は、上方開口を有する箱本体と、この開口の一辺に折線を介して連設された蓋と、から構成され、箱本体と蓋とがロック機構により再封される紙製容器に関する以上のような問題に鑑みてなされたもので、ロックが強固でワンタッチで再封できる紙製容器を提供することを課題とする。
【課題を解決するための手段】
【０００６】
本発明の請求項１の発明は、上面が開口した容器本体と、前記開口の一辺に折り曲げ線を介して連設された蓋体から構成され、容器本体と蓋体とがロック機構により再封される紙製容器であって、前記蓋体を折り曲げて容器本体の開口を閉塞した時、前記ロック機構が、容器本体の両側面に形成される突起部と、該突起部に対応する蓋体の蓋側面板の間に設けられている隙間とで形成されていることを特徴とする再封性を有する紙製容器である。
【０００７】
このように請求項１記載の発明によれば、上面が開口した容器本体と、前記開口の一辺に折り曲げ線を介して連設された蓋体から構成され、容器本体と蓋体とがロック機構により再封される紙製容器であって、ロック機構が、容器本体の両側面に形成される突起部と、該突起部に対応する蓋体の蓋側面板の隙間で働くので、蓋体の左側と右側の２箇所にロックがかかり、外れることが少ない。
【０００８】
また、請求項２の発明は、糊代片、側面板、前面板、側面板、後面板が順次折り曲げ線を介して連設され、前面板の下端には折り曲げ線を介して内底面板が連設され、各側面板の下端には折り曲げ線を介して底舌片がそれぞれ連設され、後面板の上端にはそれぞれ折り曲げ線を介して上蓋板、前蓋板が順次連設され、後面板の下端には折り曲げ線を介して底面板が連設され、上蓋板の左右端にはそれぞれ折り曲げ線を介して蓋舌片が連設され、前蓋板の左右端にはそれぞれ折り曲げ線を介して前蓋側面板が連設され、前面板の上方の
左右端には、側面板を分ける折り曲げ線より側面板寄りに突出して突起部が形成され、た構造からなるブランクを、糊代片、側面板、前面板、側面板、後面板を順次折り曲げ、糊代片の表面と後面板の裏面を貼着してスリーブ状に形成し、内底面板、底舌片、底面板を折り曲げ貼着して底部を形成して容器本体とし、上蓋板、前蓋板を折り曲げ、蓋舌片の表面と前蓋側面板の裏面を貼着して蓋体とし、該蓋体を折り曲げて容器本体の開口を閉塞し、蓋体の前蓋板裏面とそれに重なる容器本体の前面板表面を貼着して紙製容器を密閉した時、左右の突起部が対応する左右の蓋舌片の端部に係ってロック状態になることを特徴とする再封性を有する紙製容器である。
【０００９】
このように請求項２の発明によれば、糊代片、側面板、前面板、側面板、後面板が順次折り曲げ線を介して連設され、前面板の下端には折り曲げ線を介して内底面板が連設され、各側面板の下端には折り曲げ線を介して底舌片がそれぞれ連設され、後面板の上端にはそれぞれ折り曲げ線を介して上蓋板、前蓋板が順次連設され、後面板の下端には折り曲げ線を介して底面板が連設され、上蓋板の左右端にはそれぞれ折り曲げ線を介して蓋舌片が連設され、前蓋板の左右端にはそれぞれ折り曲げ線を介して前蓋側面板が連設され、前面板の上方の左右端には、側面板を分ける折り曲げ線より側面板寄りに突出して突起部が形成され、た構造からなるブランクを、糊代片、側面板、前面板、側面板、後面板を順次折り曲げ、糊代片の表面と後面板の裏面を貼着してスリーブ状に形成し、内底面板、底舌片、底面板を折り曲げ貼着して底部を形成して容器本体とし、上蓋板、前蓋板を折り曲げ、蓋舌片の表面と前蓋側面板の裏面を貼着して蓋体とし、該蓋体を折り曲げて容器本体の開口を閉塞し、蓋体の前蓋板裏面とそれに重なる容器本体の前面板表面を貼着して紙製容器を密閉した時、左右の突起部が対応する左右の蓋舌片の端部に係ってロック状態になるので、
ロックが２箇所で係り容易に外れることがない。
【００１０】
また、請求項３の発明は、請求項２の発明において、前記前面板の上方には、上端縁より内方に切断線により前蓋板より小さい貼着開放部が区画形成されていることを特徴とする、再封性を有する紙製容器である。
【００１１】
このように請求項３記載の発明によれば、前面板の上方には、上端縁より内方に切断線により前蓋板より小さい貼着開放部が区画形成されているので、蓋体を折り曲げ線を支軸として上方に引き上げると、貼着開放部が容器本体の前面板から切断線により切り離され、容器本体の開口が大きく広がり、収容物を容易に取り出すことができるようになる。
【００１２】
また、請求項４の発明は、請求項２又は３の発明において、前記突出部の突出高さが紙製容器を構成する紙厚程度であることを特徴とする、再封性を有する紙製容器である。
【００１３】
このように請求項４記載の発明によれば、突出部の突出高さを紙製容器を構成する紙厚程度にしてあるので、蓋体を容器本体に正しく被せることによりロックが正常に作用して何回も繰り返して開放、閉塞の作業を行うことができる。
【発明の効果】
【００１４】
このように本発明の再封性を有する紙製容器は、再封時のロック構造に工夫を凝らしてあり、閉めた時カチッと音又は感覚で確認でき、安心感が与えられる。ワンタッチで開封でき、ワンタッチで再封できる。充填機、封緘機も量産に支障は少ない。
【発明を実施するための最良の形態】
【００１５】
本発明を一実施形態に基づいて以下に詳細に説明する。
本発明の再封性を有する紙製容器（１）は、例えば、図１（ａ）、（ｂ）に示すように、上面が開口した容器本体（２）と、前記開口の一辺に折り曲げ線（ａ）を介して連設され
た蓋体（３）から構成され、容器本体と蓋体との再封がロック機構（４）により保持されるものである。
【００１６】
そして、本発明の再封性を有する紙製容器（１）は、例えば、図２に示すようなブランクシート（１０）を製函機で組み立ててなる。先ず、ブランクシート（１０）を説明する。
【００１７】
糊代片（１１）、側面板（１２）、前面板（１３）、側面板（１４）、後面板（１５）が折り曲げ線を介して順次連設されている。
【００１８】
前面板（１３）の下端には折り曲げ線を介して内底面板（１３２）が連設され、前面板の上方には、上端縁より内方に切断線（ｂ）により前蓋板より小さい貼着開放部（１３１）が区画形成されている。
【００１９】
また、前面板（１３）の上方の左右端には、隣接する各側面板（１２、１４）を分ける折り曲げ線より側面板寄りに突出して突起部（１８、１９）が形成されている。
【００２０】
各側面板（１２、１４）の下端には、折り曲げ線を介して底舌片（１２１、１４１）が連設されている。後面板（１５）の下端には折り曲げ線を介して底面板（１５１）が連設されている。
以上が容器本体（２）を構成する部分である。
【００２１】
後面板（１５）の上端にはそれぞれ折り曲げ線（ａ）を介して上蓋板（１６）、前蓋板（１７）が順次連設されている。
【００２２】
上蓋板（１６）の左右端にはそれぞれ折り曲げ線を介して蓋舌片（１６１、１６２）が連設され、前蓋板（１７）の左右端にはそれぞれ折り曲げ線を介して前蓋側面板（１７１、１７２）が連設されている。
【００２３】
隣接する左右の蓋舌片（１６１、１６２）と前蓋側面板（１７１、１７２）の間には、少なくとも紙厚程度の隙間（ｃ）があくように蓋舌片（１６１、１６２）の形状を考慮する必要がある（図３、図４参照）。
以上が蓋体（３）を構成する部分である。
【００２４】
つぎに、このような構成からなるブランクシート（１０）から再封性を有する紙製容器（１）にする紙製容器の組み立て方の一例を述べる。
先ず、糊代片（１１）、側面板（１２）、前面板（１３）、側面板（１４）、後面板（１５）を順次折り曲げ、糊代片（１１）の表面と後面板（１５）の裏面を貼着してスリーブ状に形成する。
【００２５】
ついで、上蓋板（１６）、前蓋板（１７）、蓋舌片（１６１、１６２）、前蓋側面板（１７１、１７２）を折り曲げ、蓋舌片（１６１、１６２）の表面と前蓋側面板（１７１、１７２）の裏面を貼着して蓋体（３）を形成させる。
【００２６】
必要に応じてスリーブ内に底部側より内容物を収納後、内底面板（１３２）、底舌片（１２１、１４１）、底面板（１５１）を折り曲げ、内底面板（１３２）の表面と、底面板（１５１）の裏面を貼着して底部を形成する。
【００２７】
最後に、蓋体（３）を折り曲げ線（ａ）から折り曲げて容器本体（２）の開口を閉塞し、蓋体の前蓋板（１７）の裏面とそれに重なる容器本体の前面板（１３）の表面を貼着して紙製容器を密閉する。
【００２８】
出来上がった紙製容器の開封は、例えば、つぎのようにして行う。すなわち、蓋体（３）を折り曲げ線（ａ）を支軸として容器本体（２）から引き離すと、蓋体の前蓋板（１７）と一緒に切断線（ｂ）に沿って貼着開放部（１３１）が容器本体の前面板から切り離され、容器本体の開口が大きく広がって菓子等の収容物を簡単に取り出せるようになる。
【００２９】
内容物を取り出した後、再び折り曲げ線（ａ）を支軸として蓋体を容器本体に被せると、容器本体の前面板側面に突出して形成した突出部（１８、１９）が、蓋体の内側で前蓋側面板の内側、すなわち、前面板と蓋舌片の間に設けられた隙間に係止されて蓋体はカチッと止まり、再封止される。
【００３０】
再び内容物を取り出すに際しては、折り曲げ線（ａ）を支軸として蓋体を容器本体から引き離すようにすると、容器本体に形成された突出部（１８、１９）が簡単に蓋体の前蓋板と蓋舌片の間に設けられた隙間から外れて蓋体は開き、容器本体は再開口され内容物を簡単に取り出すことができるようになる。
【図面の簡単な説明】
【００３１】
【図１】本発明の再封性を有する紙製容器の一実施例を示す、（ａ）は開封前の状態の斜視説明図であり、（ｂ）は開封した後の状態を示す、斜視説明図である。
【図２】本発明の再封性を有する紙製容器のブランクシートの一実施例を示す、平面説明図である。
【図３】（ａ）は図１（ａ）の断面説明図であり、（ｂ）は、図１（ｂ）の断面説明図である。
【図４】従来の再封性を有する紙製容器の一例を示す、斜視説明図である。
【図５】従来の再封性を有する紙製容器の一例を示す、断面説明図である。
【符号の説明】
【００３２】
１‥‥紙製容器
２‥‥容器本体
３‥‥蓋体
４‥‥ロック機構
１０‥‥ブランクシート
１１‥‥糊代片
１２‥‥側面板
１３‥‥前面板
１４‥‥側面板
１５‥‥後面板
１６‥‥上蓋板
１７‥‥前蓋板
１８‥‥突起部
１９‥‥突起部
１２１‥‥底舌片
１３１‥‥貼着開放部
１３２‥‥内底面板
１４１‥‥底舌片
１５１‥‥底面板
１６１‥‥蓋舌片
１６２‥‥蓋舌片
１７１‥‥前蓋側面板
１７２‥‥前蓋側面板
２０１‥‥箱本体
２０６‥‥蓋
２０８‥‥舌片
２０９‥‥段部
ａ‥‥折り曲げ線
ｂ‥‥切断線
ｃ‥‥隙間
【図１】
2008207866.tif 000003
【図２】
2008207866.tif 000004
【図３】
2008207866.tif 000005
【図４】
2008207866.tif 000006
【図５】
2008207866.tif 000007